(57)【要約】【課題】  分別されたゴミ収集日の設定を、簡単に変更できるカレンダ−の提供。【解決手段】  カレンダ−台紙１の表面２には、１月〜１２月の各月を表示する月表示カ−ド（テ−プ状形式）４と、日〜土の各曜日に対応する１日〜３１日までの日が各週単位で表示される日表示カ−ド５を備える。月表示カ−ド（テ−プ状形式）４と日表示カ−ド（透明テ−プ状形式）５はカレンダ−台紙１の横方向から差し込む。このため、ゴミ収集日を前記カレンダ−台紙１の任意の曜日に対応する日の表示欄に設定可能とすることができる。【選択図】図１
2006309156.tif 000002
【特許請求の範囲】
【請求項１】
１月〜１２月の各月と、日〜土の各曜日に対応する１日〜３１日までの日が各週単位で表示されるカレンダ−台紙と、可燃ゴミや不燃ゴミのような分別収集されるゴミの種類（イラストも含む）を表示する表示手段とを備え、前記表示手段を、前記カレンダ−台紙の任意の曜日に対応する日の表示欄に設定可能としたことを特徴とするカレンダ−。
【請求項２】
前記各月および前記各週単位で表示される日を、それぞれ前記カレンダ−台紙に横方向に差込み移動可能とする第１のカ−ド（テ−プ状形式）で表示することを特徴とする、請求項１に記載のカレンダ−。
【請求項３】
前記分別収集されるゴミの種類を、それぞれのゴミの種類毎に（イラストも含む）前記カレンダ−台紙に縦方向に差込み移動可能とする第２のカ−ドで表示することを特徴とする、請求項１または請求項２に記載のカレンダ−。
【請求項４】
前記分別収集されるゴミの種類を、貼り付けシ−ルで（イラストも含む）表示することを特徴とする、請求項１または請求項２に記載のカレンダ−。
【請求項５】
前記各月および前記各週単位で表示される日を、それぞれ前記カレンダ−台紙に横方向に巻回される部材に設定したことを特徴とする、請求項１ないし請求項４のいずれかに記載のカレンダ−。
【請求項６】
前記横方向に巻回される部材に設定される日のなかで、第４週、または第５週の月末の２９日〜３１日を曜日に対応させるために、調整部材を別途設けることを特徴とする、請求項５に記載のカレンダ−。
【発明の詳細な説明】
【技術分野】
【０００１】  本発明は、家庭用のゴミ収集日を変更可能に表示するカレンダ−に関するものである。
【背景技術】
【０００２】  近年の環境保全等の観点から、家庭用のゴミは、地方自治体毎に可燃物や不燃物、ビン、カンなどのように（イラストも含む）分別し、曜日を決めて分別収集することが多くなっている。各地方自治体は、地域住民に対してゴミ収集日を周知させるために、マニュアルやポスタ−を配布している。【０００３】  前記のようなマニュアルやポスタ−では、紛失してしまうことや、記憶違いで決められた日とは異なる日にゴミを出す場合があるなどの問題がある。そこで、カレンダ−にゴミ収集日を表示することが考えられる。例えば、特許文献１には、ユ−ザがパソコンのような端末から、インタ−ネットを介してゴミ収集日を表示したカレンダ−を購入することが記載されている。【０００４】
【特許文献１】  特開２００２−１５１４３号
【発明の開示】
【発明が解決しようとする課題】
【０００５】  前記特許文献１に記載のカレンダ−は、インタ−ネットを介して購入するので煩雑であり、転居や収集日が変更された場合には対応できないという問題があった。また、毎年ゴミ収集日が設定されたカレンダ−を作成しなければならないのでコストが嵩むという問題があった。【０００６】  本発明は従来技術のこのような問題点に鑑みてなされたものであり、その目的は、分別されたゴミ収集日の設定が簡単に変更できるカレンダ−を低コストで提供することにある。
【課題を解決するための手段】
【０００７】  上記目的を達成する本発明のカレンダ−は、１月〜１２月の各月と、日〜土の各曜日に対応する１日〜３１日までの日が各週単位で表示されるカレンダ−台紙と、可燃ゴミや不燃ゴミのような分別収集されるゴミの種類を（イラストも含む）表示する表示手段とを備え、前記表示手段を前記カレンダ−台紙の任意の曜日に対応する日の表示欄に設定可能としたことを特徴とする。【０００８】  また、本発明のカレンダ−は、前記各月および前記各週単位で表示される日を、それぞれ前記カレンダ−台紙に横方向に差込み移動可能とする第１のカ−ド（テ−プ状形式）で表示することを特徴とする。【０００９】  また、本発明のカレンダ−は、前記分別収集されるゴミの種類を、（イラストも含む）それぞれのゴミの種類毎に前記カレンダ−台紙に縦方向に差込み移動可能とする第２のカ−ドで表示することを特徴とする。【００１０】  また、本発明のカレンダ−は、前記分別収集されるゴミの種類を、印刷で対応出来ない場合は貼り付けシ−ル等で対応表示することを特徴とする。この例では、本カ−ドの両面にも印刷することにより、（印刷で対応出来ない場合は貼り付けシ−ル等）数多くのパタ−ンに対応できる。また、ゴミ収集曜日の予定が無い曜日は無地のカ−ドを使用するが、無地のカ−ドは数枚予備として備え置くことにより（シ−ルの予備も地域に併せて備えることにより）尚一層の広範囲に対応出来る。【００１１】  また、本発明のカレンダ−は、前記各月および前記各週単位で表示される日を、それぞれ前記カレンダ−台紙に横方向に巻回される部材に設定したことを特徴とする。【００１２】  また、本発明のカレンダ−は、前記横方向に巻回される部材に設定される日のなかで、第４週、または第５週の月末の２９日〜３１日を曜日に対応させるために、調整部材を別途設けることを特徴とする。
【発明の効果】
【００１３】  本発明のカレンダ−によれば、可燃物や不燃物、ビン、カンなどのように分別されたゴミの収集日を簡単に変更でき、年が変わっても対応できる。このため、低コストのカレンダ−を提供することができる。
【発明を実施するための最良の形態】
【００１４】  以下、図を参照して本発明を説明する。図１は、本発明のカレンダ−の実施形態を示す説明図である。図１において、カレンダ−の台紙１には、表面２に１月〜１２月の各月を変更可能に表示する月表示カ−ド（テ−プ状形式）４が、横方向から差し込まれる。また、日〜土の各曜日に対応する日表示カ−ド（透明テ−プ状形式）５が、横方向から差し込まれる。日表示カ−ド（透明テ−プ状形式）５は、１日〜３１日までの日が各週単位で表示されるように、この例では６分割で作成されている。【００１５】  また、カレンダ−の台紙１には、表面２に分別収集されるゴミを表示したゴミ収集カ−ド１０〜１３、が縦方向から差し込まれる。図１の例では、１０は家庭ゴミ表示カ−ド、１１は空びん、空き缶、ペットボトル表示カ−ド、１２は荒ゴミ、１３は粗大ゴミ、金系ゴミ、燃えないゴミ、カセットボンベの表示カ−ドである。この例では、毎週月曜日と木曜日が家庭ゴミの収集日になっている。また、第２、第４水曜日は空びん、空き缶、ペットボトルの収集日であり、第１金曜日が粗大ゴミの収集日である。さらに、第４水曜日は燃えないゴミ、カセットボンベの収集日である。【００１６】  図２は、（ａ）、（ｂ）、図１に示したカレンダ−台紙１の裏面３を示す説明図である。図２に示すように、カレンダ−台紙１の表面２に１月が表示されている場合には、月表示カ−ド（テ−プ状形式）４、の裏面には、２月〜１２月が表示されている。この月表示カ−ド（テ−プ状形式）４、の両端を接着などにより貼り合わせておき、ずらしたり、回転させることにより、または、巻き取り方法等により、必要な月を簡単にカレンダ−台紙１の表面２に表示させることができる。【００１７】  １４、１５、は縦カ−ド差し込み開口部、１６ａ〜１６ｆ、は日表示開口部、１７ａ〜１７ｆ、は日表示開口部、１８ａ〜１８ｋ、は縦方向補助開口部で、後述するような１０〜１３、の各ゴミ表示カ−ドを差し込む際に利用する。このような縦方向、補助開口部１８ａ〜１８ｋ、を設けることにより、各表示カ−ドを伝承の形態で収集日に会わせて表示することができるので利便性が伺上する。なお１９、２０、は横方向の月表示設定用開口部である。【００１８】  ６枚作成されている日表示カ−ド（透明テ−プ状形式）５、もそれぞれ両端を貼り合わせて、ずらしたり、回転させたり、巻き取る方法等により、カレンダ−台紙１の表面２に設定されている曜日に対応した日を、簡単に表示させることができる。さらに、図２（ｂ）、に示されているような前記カレンダ−台紙１の縦方向に差し込まれるゴミ収集カ−ド１０〜１３、をカレンダ−台紙１の表面２で該当する曜日の位置に設定する。次に、ゴミ収集カ−ド１０〜１３、をそれぞれ縦方向にずらすことにより、該当する収集日の位置に表示することができる。なお図２（ｂ）、は簡略のため実際の大きさとは異なる大きさで作成している。また、ゴミの種類をイラストでも表示することができる。【００１９】  このように、本発明の実施形態においては、カレンダ−台紙１の表面２で横方向に移動させる月表示カ−ド（テ−プ状形式）４、および日表示カ−ド（透明テ−プ状形式）５、と縦方向に移動させるゴミ収集カ−ド１０〜１３、との組み合わせで、ゴミ収集日をカレンダ−に表示している。このため、当初に設定したゴミ収集日が転居などで変更された場合でも、各ゴミの新規な収集日を簡単にカレンダ−に表示することができる。また、年が変わった場合でも対応できる。【００２０】  図３は、カレンダ−の裏面カバ−を示す説明図である。図３において、２１は、カレンダ−の裏面に形成された磁気接着部４ヶ所（マジック形成部）である。このようなマジックの取り付け部を設けることにより、例えば冷蔵庫などの金属部分が設けられている家電製品に磁気接着でカレンダ−を取り付けることができる。２２は、開口部で、紐などを通して室内の壁面に固定した釘などに直接カレンダ−を取り付けることができる。【００２１】  また、２３は、固定板で、矢印Ｒ方向に廻動可能な固定板で、机上などにもカレンダ−を配置することもできる。このように、種々のカレンダ−取り付け手段を設けているので、カレンダ−の設置状況に応じた配置を行えるので、ユ−ザに利用しやすい構成とすることができる。【００２２】  図３、において開口部２４は、縦方向表示カ−ドまたは、横方向表示カ−ドの使用中にトラブルが生じた際の点検用に設けたものである。このような開口部２４が、有る事により、簡単に点検でき、トラブルを回復する事が出来る。【００２３】  なお、前記台紙等にあっては、厚紙又は合成樹脂板、発泡スチロ−ル製、等から構成することが好ましい。【００２４】  図４は、本発明の他の実施形態を示す説明図である。図４においては、特定の自治体に居住する住民に対応するカレンダ−を示している。この例では、前記したような、縦表示カ−ドに設定した各種ゴミ収集と、曜日との対応関係を応用した例を示している、例えば家庭ゴミ２７、の収集日は毎週火曜日と金曜日に設定されているものとする。このため、家庭ゴミ２７、の収集日は予めカレンダ−２５、の表面２６、に印刷などで表示されている。また、空ビン、空き缶、カン、ペットボトルの収集日は第１、第３水曜日に設定されており、この収集日については印刷では対応出来ない場合は（シ−ル等も含む）２８、で設定する。さらに、荒ゴミ、粗大ゴミ、金系ゴミは第２月曜日の印刷では対応出来ない場合は（シ−ル等も含む）２９、で設定し、燃えないごみ、カセットボンベ、スプレ−缶、の収集日は第４月曜日の印刷では対応出来ない場合は（シ−ル等も含む）３０、で設定している。【００２５】  図４の例では、１月に続く２月のゴミ収集日も印刷では対応出来ない場合は（シ−ル等も含む）で表示できるように構成されている。このため、翌月のゴミ収集の予定を予め知ることができる。図４の例では、ゴミ収集の予定を、各分別収集されるゴミの種類（イラストも含む）に対応する。印刷では対応出来ない場合はシ−ル等で設定するので、自治体のゴミ収集日に応じてカレンダ−に貼り付けるだけの簡単な操作で柔軟に対応することができる。【００２６】  図４の例では、特定の自治体がいろいろな方法でゴミと資源の分け方、出し方等の行政を施行してるが、このようなカレンダ−を作成して、地域住民に配布する事により、一般住民にはより簡単に分かり易く、簡単に行政の趣旨に理解して実行する事が出来、地域に於いてもより一層ゴミ収集が、ス���−ズに行なわれ、地域の美観にもつながる。【００２７】  特定の自治体に於いては、ゴミ収集別曜日が数種類の組み合わせにより、ゴミの回収を計っている、よって数種類のパタ−ンを作成する事により解決する事が出来る。又企業広告の収入により、又特定の自治体も作成費用の負担が軽減される事も考えられる。【００２８】  図５〜図７は、本発明に使用する各種表示カ−ド及び表示シ−ルの例を示す説明図である。図５（ａ）は、１２ヶ月表示カ−ド（テ−プ状形式）４、の例を示し、図５（ｂ）、（ｃ）は、日表示カ−ド（透明テ−プ状形式）５、の例を示している。図６は、図１のカレンダ−で使用するゴミ収集用表示シ−ル等の例を示す説明図である。図６（ａ）は、家庭ゴミ表示シール３１、図６（ｂ）は、空ビン、空き缶、ペットボトル表示シ−ル３２、図６（ｃ）は、粗大ゴミ・金系ゴミ表示シ−ル３３、図６（ｄ）は、燃えないゴミ、カセットボンベ、スプレ−缶表示シ−ル３４、図６（ｅ）は、荒ゴミ表示シ−ル３５、の例を示している。これらのゴミ表示シ−ル３１〜３５、はゴミ収集の実情に合わせて対象とするゴミの種類は適宜組み合わせが可能である。例えば、荒ゴミと粗大ごみ、金系ゴミとを一体に表示したシ−ルを作成することもできる。【００２９】  図７の例では、図１で使用する縦カ−ドの形態表示シールの例を示す説明図である。図７（ａ）は、家庭ゴミ表示シ−ル１０、図７（ｂ）は、空きびん、空き缶、ペットボトル、カセットボンベ、スプレ−缶表示シ−ル１１、図７（ｃ）は、荒ゴミ、表示シ−ル１２、図７（ｄ）は、粗大ゴミ、金系ゴミ、燃えないゴミ、カセットボンベ、スプレ−缶表示シ−ル１３、の形態表示シ−ルの例を表示する説明図である。【００３０】  図８〜図１６は、本発明の他の実施形態を示す説明図である。図８〜図１０は、月表示カード（テープ状形式）４の具体例を示す説明図である。月表示カード（テープ状形式）４は、図８に示すように１月〜１２月を数字で表示した円環上のテープで構成する（６月〜１０月は裏面に隠れている）。この月表示カード（テープ状形式）４は、図９に示すような月表示板４１内をエンドレスで回動される。【００３１】  月表示板４１の左右両端には、開口部４２ａ、４２ｂを形成する。図９では、下側の開口部のみを示しているが上側にも同様の開口部が形成されている。この開口部４２ａには、上下に係止部４３ｘ、４３ｙを有する回動軸４３ａを挿入する。この際に、一方の係止部４３ｘ、４３ｙは回動軸４３ａから離脱させておき、回動軸４３ａを開口部４２ａに挿通してから離脱させておいた係止部４３ｘ、４３ｙを回動軸４３ａに固定する。図９では図示を省略しているが、開口部４２ｂには、回動軸４３ｂを挿入する。図１０は、月表示カード（テープ状形式）４、回動軸４３ａ、４３ｂを組み立て後の月表示板４１の構成を示している。【００３２】  図１１は、図１のカレンダーを裏面からみた状態を示す説明図である。この例では、月末が２９日、３０日、３１日のいずれかで、しかも月末の日がどの曜日であっても対応できるように、日調整板を設けた例を示している。図１１（ａ）は、日表示カード５（透明テープ状形式）を外して前記台紙裏面３側からみた図を示している。４７ａ、���７ｂは、日表示カード５（透明テープ状形式）の回動軸４９ａ、４９ｂを固定する上部固定部、４８ａ、４８ｂは、日調整板（透明テープ状形式）４５の回動軸５０ａ、５０ｂを固定する上部固定部、５１ａ、５１ｂは、前記回動軸４９ａ、４９ｂ、５０ａ、５０ｂを固定する下部共通固定部である。【００３３】  図１１（ｂ）は、日調整板（透明テープ状形式）４５の細部を示している。４５ａはこの日調整板（透明テープ状形式）４５の表側、４５ｂはその裏側である。日調整板（透明テープ状形式）１週間のうち３日間の表示欄を白（白く印刷しておく）に設定している。このように、日調整板（透明テープ状形式）４５には１日〜３１日がどのような曜日と対応する場合でも使用可能とすることができる。この点については、図１６に関して後述する。【００３４】  図１２は、カレンダーの台紙裏面３に日表示カード（透明テープ状形式）５を取り付ける例の説明図である。図１２（ａ）は図１１（ａ）と同じ図であり、図１２（ｂ）は、日表示カード５（透明テープ状形式）の例を閉示している。図１２（ｂ）では、簡単のために前記日調整板（テープ状形式）４５の記載を省略している。日表示カード（透明テープ状形式）５は、前記のように回動軸４９ａ、４９ｂの周囲を回動して、各月の曜日と日付とを対応させる。【００３５】  日調整カ−ド（透明テ−プ形式）は第５週の日表示の（透明テ−プ状形式）表面に設定し（重ねて上に）、２９日３０日３１日の該当月日にカ−ドを（透明テ−プ状形式）ずらす事により２９日３０日３１日に対応する事が出来る。【００３６】  日表示カード（透明テープ状形式）５は、例えば図１６（ａ）〜（ｅ）の説明図に示す構成とすることができる。図１６のＣＬは中央部で、Ｓが表面側、Ｂが裏面側である。表面側の端部ＳＨと裏面側の端部ＢＨとをつなぎ合わせてエンドレスで回動する。１週目は図１６（ａ）、２週目は図１６（ｂ）、３週目は図１６（ｃ）、４週目は図１６（ｄ）、５週目は図１６（ｅ）、に対応している。【００３７】  月初めの１日を対応する曜日に設定する。例えば、１日が水曜日の場合には、（ａ）の１日の位置を右側に３こま分移動する。したがって、（ａ）の土曜日に対応する位置には４日が対応する。この際に、（ｂ）の第２週では現在の位置から同じように３こま移動するので、日曜日の位置には、５日が対応する。第３週の日曜日の位置には、１２日が対応する。第４週の日曜日の位置には、２６日が対応する。【００３８】  この際の第４週の土曜日の位置には、２９日が対応する。このような場合には、図１７（ａ）、（ｂ）のような日調整板（透明テープ状形式）を用意しておくことにより１月分の日と曜日に対応できるカレンダーを構成することができる。本発明の実施形態においては、このように図１６に示されたようなエンドレスで回動する日表示カード（透明テープ状形式）と、日調整板（透明テープ状形式）を用いているので、簡単に家庭用のゴミ収集日を変更可能に表示するカレンダーを提供することができる。【００３９】  図１３は、図１で説明した縦表示カードの挿入、固定の例を示す説明図である。（日表示透明テ−プ状形式の袋状の中間に設定する）図１３において、台紙表面２と台紙裏面３の間��縦表示カードを挿入するための空間部を形成する。家庭ゴミ表示カ−ド１０、空びん、空き缶、ペットボトル、表示カ−ド１１、荒ゴミ表示カ−ド１２、粗大ゴミ、金系ゴミ、燃えないゴミ、カセットボンベ、表示カ−ド１３のような縦表示カードは、上部開口部５５から挿入し、下部の固定部５６で固定する。５３ａ、５３ｂは上部張り出し部、５４ａ、５４ｂは下部張り出し部である。【００４０】  図１４は、本発明の実施形態にかかるカレンダーの側面の一例を示す説明図である。図１４において、５７は、台紙表面２に配置される固定板である。固定板５７には、月表示板４１が固定される。また、日曜日〜土曜日の各曜日を予め固定板５７に印刷しておいても良い。５６は、前記したように縦表示カードの固定部である。【００４１】  図１５は、図１１、図１２で説明した日表示カード（透明テープ状形式）５、日調整カード（透明テープ状形式）４５の取り付け部を分解して示す説明図である。日表示カード（透明テープ状形式）５、日調整カード（透明テープ状形式）４５は別体で構成しているので、組み立てが簡単であり、前記のように曜日と日の対応、特に最終週の日の調整が簡単に行なえる。【００４２】  図１８は、本発明の実施形態を示す説明図である。この例では、カレンダーを表側からみて立体的に表示している。月表示板４５、日表示カード（透明テープ状形式）５、日調整カード（透明テープ状形式）４５、縦方向の家庭ゴミ表示カ−ド１０、空びん、空き缶などの表示カ−ド１１ａ、粗大ゴミなどの表示カ−ド１３ａが立体的に配置され、利用者がみやすい構成としている。【００４３】  以上、本発明のカレンダ−について実施例に基づいて説明したが、本発明はこれら実施例に限定されず種々の変形が可能である。
【産業上の利用可能性】
【００４４】  本発明のカレンダ−によれば、可燃物や不燃物、ビン、カンなどのように分別されたゴミの収集日の表示を簡単に変更できる。このため、他の自治体の居住区に転居した場合や年が変わってもゴミ収集日の表示が対応できる、低コストのカレンダ−を提供することができる。【００４５】  全体を大きく作成する事により縦カ−ドに行事予定内容・作業工程・勤務当番・等々ある程度定着した内容の月間内容表示を印刷し貼り付ける事により月間行事表としても活用する事が出来る。
【図面の簡単な説明】
【００４６】
【図１】  本発明の実施形態を示す説明図である。
【図２】  本発明の実施形態を示す説明図である。
【図３】  本発明の実施形態を示す説明図である。
【図４】  本発明の実施形態を示す説明図である。
【図５】  本発明の実施形態を示す説明図である。
【図６】  本発明の実施形態を示す説明図である。
【図７】  本発明の実施形態を示す説明図である。
【図８】  本発明の実施形態を示す説明図である。
【図９】  本発明の実施形態を示す説明図である。
【図１０】  本発明の実施形態を示す説明図である。
【図１１】  本発明の実施形態を示す説明図である。
【図１２】  本発明の実施形態を示す説明図である。
【図１３】  本発明の実施形態を示す説明図である。
【図１４】  本発明の実施形態を示す説明図である。
【図１５】  本発明の実施形態を示す説明図である。
【図１６】  本発明の実施形態を示す説明図である。
【図１７】  本発明の実施形態を示す説明図である。
【図１８】  本発明の実施形態を示す説明図である。
【符号の説明】
【００４７】  １・カレンダ−、２・台紙表面、３・台紙裏面、４・月表示カ−ド（テ−プ状形式）、５・日表示カ−ド（透明テ−プ状形式）、１０・家庭ゴミ表示カ−ド、１１・空びん、空き缶、ペットボトル、表示カ−ド、１２・荒ゴミ表示カ−ド、１３・粗大ゴミ、金系ゴミ、燃えないゴミ、カセットボンベ、表示カ−ド、１４〜１５・縦方向開口部、１６ａ〜１６ｆ・横方向開口部、１７ａ〜１７ｆ・横方向開口部、１８ａ〜１８ｋ・縦方向補助開口部、１９、２０・月縦方向開口部、３１〜３５・ゴミ収集表示シ−ル、４１・月表示板、４５・日調整板、５７・固定板。
【図１】
2006309156.tif 000003
【図２】
2006309156.tif 000004
【図３】
2006309156.tif 000005
【図４】
2006309156.tif 000006
【図５】
2006309156.tif 000007
【図６】
2006309156.tif 000008
【図７】
2006309156.tif 000009
2006309156.tif 000010
【図８】
2006309156.tif 000011
【図９】
2006309156.tif 000012
【図１０】
2006309156.tif 000013
【図１１】
2006309156.tif 000014
【図１２】
2006309156.tif 000015
【図１３】
2006309156.tif 000016
【図１４】
2006309156.tif 000017
【図１５】
2006309156.tif 000018
【図１６】
2006309156.tif 000019
【図１７】
2006309156.tif 000020
【図１８】
2006309156.tif 000021
【手続補正書】
【提出日】平成18年3月29日(2006.3.29)
【手続補正２】
【補正対象書類名】図面
【補正対象項目名】全図
【補正方法】変更
【補正の内容】
【図１】
2006309156.tif 000022
【図２】
2006309156.tif 000023
【図３】
2006309156.tif 000024
【図４】
2006309156.tif 000025
【図５】
2006309156.tif 000026
【図６】
2006309156.tif 000027
【図７】
2006309156.tif 000028
【図８】
2006309156.tif 000029
【図９】
2006309156.tif 000030
【図１０】
2006309156.tif 000031
【図１１】
2006309156.tif 000032
【図１２】
2006309156.tif 000033
【図１３】
2006309156.tif 000034
【図１４】
2006309156.tif 000035
【図１５】
2006309156.tif 000036
【図１６】
2006309156.tif 000037
【図１７】
2006309156.tif 000038
【図１８】
2006309156.tif 000039